(57)【特許請求の範囲】
【請求項１】
衣類を収容する乾燥室と、この乾燥室に設けられた乾燥風の出口に対向して配置され、乾燥室に対して乾燥風を循環させる循環ファン面と冷却風を導入、導出させる冷却ファン面とを表裏一体に設け、循環する乾燥風と導入した冷却風との間で熱交換させる遠心型の両面ファンと、この両面ファンの外周部に対向する内周部を有し、両面ファンと共に乾燥風路と冷却風路とを仕切る仕切板とを備え、前記仕切板の内周部には複数個の円筒状壁によって構成された固定溝群を設け、前記両面ファンの外周部には複数個の円筒状壁によって構成された回転溝群を設けると共に、前記固定溝群と前記回転溝群の各々の円筒状壁を相手の溝群の開口内に非接触状態で遊嵌してラビリンス結合部を構成した衣類乾燥機において、
前記固定溝群の底部で乱流を生じさせて前記乾燥風路側から前記冷却風路側へ乾燥風が漏れるのを抑えるべく、前記固定溝群の溝の底面から、この溝内に遊嵌される前記回転溝群の円筒状壁に届かない高さの円筒状リブを２個立設すると共に、これら円筒状リブと前記回転溝群の円筒状壁とが何らかの原因で狭まってもぶつかりにくいように、前記円筒状リブを前記回転溝群の円筒状壁と対向しないようにずらした構成としたことを特徴とする衣類乾燥機。
【請求項２】
衣類を収容する乾燥室と、この乾燥室に設けられた乾燥風の出口に対向して配置され、乾燥室に対して乾燥風を循環させる循環ファン面と冷却風を導入、導出させる冷却ファン面とを表裏一体に設け、循環する乾燥風と導入した冷却風との間で熱交換させる遠心型の両面ファンと、この両面ファンの外周部に対向する内周部を有し、両面ファンと共に乾燥風路と冷却風路とを仕切る仕切板とを備え、前記仕切板の内周部には複数個の円筒状壁によって構成され、前記冷却風路側に開口する固定溝群を設け、前記両面ファンの外周部には複数個の円筒状壁によって構成され、前記乾燥風路側に開口する回転溝群を設けると共に、前記固定溝群と前記回転溝群の各々の円筒状壁を、固定溝群の最も外周側の円筒状壁が回転溝群の最も外周側の円筒状壁の外周側に位置するように、相手の溝群の開口内に非接触状態で遊嵌してラビリンス結合部を構成した衣類乾燥機において、
前記固定溝群の最も外周側の円筒状壁の下部に外周側に凹む凹所を設けて、ラビリンス結合部を通って前記冷却風路側に出てきた水を溜めるようにすると共に、前記凹所に水抜孔を形成し、前記仕切板の前記冷却風路側には前記固定溝群の最も外周側の円筒状壁の外周を取り囲む周壁を形成し、この周壁には前記水抜孔の真下位置から前記仕切板に向けて凹溝を設け、この凹溝と前記乾燥風路とを連通する連通孔を設け、前記凹溝の底面を前記連通孔に向かって傾斜させ、前記凹所に溜った水を前記乾燥風路に導くようにしたことを特徴とする衣類乾燥機。
【発明の詳細な説明】
【０００１】
【発明の属する技術分野】
本発明は、除湿式の衣類乾燥機に関する。
【０００２】
【従来の技術】
従来、この種の衣類乾燥機において、特公平６−５９３６０号（Ｄ０６Ｆ５８／０２）公報に示されているような構成のものがある。
【０００３】
この衣類乾燥機では、乾燥室の出口に対向して設けた熱交換型の両面ファンとこの両面ファンの外周部を覆う仕切板とにより、乾燥風路と冷却風路とを仕切り、両面ファンの回転動作により、乾燥室と乾燥風路との間で乾燥風を循環させると共に、外部空気を冷却風として冷却風路内に導き、乾燥風と冷却風とを両面ファンによって熱交換して、乾燥風中の水分を除去するようにしている。そして、このように水分を除去した乾燥風をヒータによって再加熱し、乾燥室に供給するようにしている。
【０００４】
前記両面ファンと前記仕切板との間は、非接触式であってシール効果の良好なラビリンス結合によりシールされており、詳細な構成を図４及び図５に示す。
【０００５】
仕切板５１の内周部には、複数個の円筒状壁５２から構成され、冷却風路５３側に開口する固定溝群５４を設けており、一方、両面ファン５５の外周部には、複数個の円筒状壁５６から構成され、乾燥風路５７側に開口する回転溝群５８を設けている。そして、これら回転溝群５８と固定溝群５４の各々の円筒状壁５６、５２を相手の溝群の開口内に非接触状態で遊嵌し、ラビリンス結合部を構成している。このとき、前記回転溝群５８の最も内周側の円筒状壁５６ａは、前記固定溝群５４の最も内周側の円筒状壁５２ａよりも内周側に位置し、一方、前記固定溝群５４の最も外周側の円筒状壁５２ｂは、前記回転溝群５８の最も外周側の円筒状壁５６ｂよりも外周側に位置している。
【０００６】
さて、加熱乾燥運転中には、乾燥風路５７内は高温になり、冷却風路５３内は常温で乾燥風路５７内に比べ低温になるため、どうしても乾燥風路５７内の空気圧が冷却風路５３内の空気圧より高くなる。よって、ラビリンス結合によって気密にはしているものの、その圧力差によっては乾燥風が乾燥風路５７側からラビリンス結合部を通って冷却風路５３側に漏れ出す虞れがあり、またこの乾燥風の流れに乗って両面ファン５５で凝縮された水が冷却風路５３内に漏れる虞があった。
【０００７】
このような乾燥風や凝縮水の冷却風路５３内への漏れを抑えるために、例えば以下のような構成をとっている。
【０００８】
即ち、前記固定溝群５４の最も内周側の円筒状壁５２ａの先端であって、前記回転溝群５８の最も内周側の円筒状壁５６ａに対向している壁面には、垂直リブ５９が立設されている。この垂直リブ５９は溝の周方向に沿って形成され、前記回転溝群５８の最も内周側の円筒状壁５６ａとの間隔を狭めている。
【０００９】
また、前記固定溝群５４の最も外周側の円筒状壁５２ｂの先端部は、前記両面ファン５５の冷却ファン面５５ｂよりも前記冷却風路５３側に延長されており、最下部の位置では筐体の後面を覆う後面板６０に当接している。この先端部には、コの字型の切欠き６１が設けられており、前記後面板６０とのあいだで水抜孔６２が形成されている。
【００１０】
一方、前記仕切板５１の前記冷却風路５３側には、前記固定溝群５４の最も外周側の円筒状壁５２ｂのさらに外周を取り囲む周壁６３が形成されており、この周壁６３の最下部には、前記水抜孔６２の真下位置から前記仕切板５１に向けて凹溝６４が形成されている。そして、前記仕切板５１には、前記凹溝６４と前記乾燥風路５７とを連通する連通孔６５が設けられている。
【００１１】
こうして、ラビリンス結合部から漏れ出そうとする乾燥風や凝縮水を前記垂直リブによって極力抑えると共に、ラビリンス結合部を通って前記冷却風路に出てきて固定溝群の最も外周側の円筒状壁の最下部に溜った凝縮水を水抜孔−凹溝−連通孔を通して乾燥風路に戻すようにしている。
【００１２】
【発明が解決しようとする課題】
しかしながら、上記のような構成の衣類乾燥機では、周囲温度が低くなり、乾燥風路と冷却風路との間の温度差が大きくなった場合など、圧力差がかなり大きくなると、垂直リブだけでは十分に乾燥風や凝縮水の漏れを抑えきれない場合が生ずる。
【００１３】
また、固定溝群の最も外周側の円筒状壁の最下部に多く水が溜ると、これが大きな水滴となり、回転している両面ファンと接触して振り飛ばされる場合がある。このため、凝縮水が水抜孔から乾燥風路内へ戻らずに、冷却風路内に飛び散ってしまう虞があった。
【００１４】
本発明は、衣類乾燥機の改良に関し、ラビリンス結合を通って乾燥風や凝縮水が冷却風路内に漏れるのを極力抑えることを目的とする。
【００１５】
【課題を解決するための手段】
本発明の請求項１に係わる構成は、衣類を収容する乾燥室と、この乾燥室に設けられた乾燥風の出口に対向して配置され、乾燥室に対して乾燥風を循環させる循環ファン面と冷却風を導入、導出させる冷却ファン面とを表裏一体に設け、循環する乾燥風と導入した冷却風との間で熱交換させる遠心型の両面ファンと、この両面ファンの外周部に対向する内周部を有し、両面ファンと共に乾燥風路と冷却風路とを仕切る仕切板とを備え、前記仕切板の内周部には複数個の円筒状壁によって構成された固定溝群を設け、前記両面ファンの外周部には複数個の円筒状壁によって構成された回転溝群を設けると共に、前記固定溝群と前記回転溝群の各々の円筒状壁を相手の溝群の開口内に非接触状態で遊嵌してラビリンス結合部を構成した衣類乾燥機において、前記固定溝群の底部で乱流を生じさせて前記乾燥風路側から前記冷却風路側へ乾燥風が漏れるのを抑えるべく、前記固定溝群の溝の底面から、この溝内に遊嵌される前記回転溝群の円筒状壁に届かない高さの円筒状リブを２個立設すると共に、これら円筒状リブと前記回転溝群の円筒状壁とが何らかの原因で狭まってもぶつかりにくいように、前記円筒状リブを前記回転溝群の円筒状壁と対向しないようにずらした構成としたものである。
【００１６】
上記構成では、回転溝群の円筒状壁が回転することによって生じた風や乾燥風路側から冷却風路側へ向かう乾燥風が固定溝群の溝の底部で円筒状リブにぶつかることにより、そこで乱流が生じる。これにより乾燥風の流れが妨げられ、結果、乾燥風や凝縮水の漏れが抑えられる。
【００１７】
本発明の請求項２に係わる構成は、衣類を収容する乾燥室と、この乾燥室に設けられた乾燥風の出口に対向して配置され、乾燥室に対して乾燥風を循環させる循環ファン面と冷却風を導入、導出させる冷却ファン面とを表裏一体に設け、循環する乾燥風と導入した冷却風との間で熱交換させる遠心型の両面ファンと、この両面ファンの外周部に対向する内周部を有し、両面ファンと共に乾燥風路と冷却風路とを仕切る仕切板とを備え、前記仕切板の内周部には複数個の円筒状壁によって構成され、前記冷却風路側に開口する固定溝群を設け、前記両面ファンの外周部には複数個の円筒状壁によって構成され、前記乾燥風路側に開口する回転溝群を設けると共に、前記固定溝群と前記回転溝群の各々の円筒状壁を、固定溝群の最も外周側の円筒状壁が回転溝群の最も外周側の円筒状壁の外周側に位置するように、相手の溝群の開口内に非接触状態で遊嵌してラビリンス結合部を構成した衣類乾燥機において、前記固定溝群の最も外周側の円筒状壁の下部に外周側に凹む凹所を設けて、ラビリンス結合部を通って前記冷却風路側に出てきた水を溜めるようにすると共に、前記凹所に水抜孔を形成し、前記仕切板の前記冷却風路側には前記固定溝群の最も外周側の円筒状壁の外周を取り囲む周壁を形成し、この周壁には前記水抜孔の真下位置から前記仕切板に向けて凹溝を設け、この凹溝と前記乾燥風路とを連通する連通孔を設け、前記凹溝の底面を前記連通孔に向かって傾斜させ、前記凹所に溜った水を前記乾燥風路に導くようにしたものである。
【００１８】
上記構成では、冷却風路側に出てきた凝縮水を凹所に集め、この凹所から連通路を通して乾燥風路に戻すようにしているので、凹所内で凝縮水が大きな水滴になっても回転している両面ファンには接触しにくく、このため、凝縮水は両面ファン振り飛ばされることなく、確実に乾燥風路内へ戻される。
【００２３】
【発明の実施の形態】
本発明の実施の形態を各図面に基づいて説明する。
【００２４】
図１において、１は本実施形態の衣類乾燥機である。２はその筐体で、前後面が開口する金属製の機枠３と、この機枠３の前面を覆う金属製の前面板４と、機枠３の後面を覆う金属製の後面板５とからなる。前記前面板４には衣類の投入口６が設けられている。
【００２５】
７は衣類の乾燥室として前記筐体２内に設けられた前面開口状の横軸型ドラムで、後方を支軸８により回転可能に軸支されている。このドラム７の後面中央には排気口９が設けられており、この排気口９には、糸屑などを回収するためのリントフィルタ１０が配置されている。１１は前記前面板４の裏側であって前記投入口６の外側に設けられ、前記ドラム７の前面開口縁を支持する金属製の支持板である。この支持板１１の下部には吸気口１２が設けられている。
【００２６】
１３は前記支持板１１の前記吸気口１２の入口側に取り付けられた乾燥風の導入ダクトであり、このダクト内には、ヒータ１４が配置されている。
【００２７】
１５は前記投入口６を開閉するための扉で、衣類乾燥機１本体を正面から見て左側の上下両端部が回転自在に支持されており、左側に開くようになっている。
【００２８】
１６は前記ドラム７の後方であって、前記排気口９に対向して設けられたファンケーシングである。このファンケーシング１６は、前面中央部が開口したケーシング本体１６ａと、その開口部分に取り付けられ、前記支軸８が固定される金属製の前板１６ｂとからなる。
【００２９】
１７は前記ファンケーシング１６内において、前記支軸８により前記ドラム７と同軸に固定された熱交換型の両面ファンである。この両面ファン１７の表裏両面には放射状に羽根が一体形成されており、前記ドラム７側を循環ファン面１８、前記後面板５側を冷却ファン面１９としている。
【００３０】
２０は前記両面ファン１７の外周を囲むように前記ケーシング本体１６ａと一体的に設けられた仕切板で、その内周部を両面ファン１７の外周部に対向させている。この仕切板２０は、前記両面ファン１７と共に、前記ファンケーシング１６内を乾燥風路２１と冷却風路２２とに区画している。
【００３１】
２３は前記排気口９と前記乾燥風路２１とを連通するために前記前板１６ｂに設けられた連通口、２４は排気口９から出た乾燥風を確実にこの連通口２３へと導くために設けられた環状のシール部材である。
【００３２】
２５は前記冷却風路２２内へ外気を導入するために前記後面板５の中央に設けられた導入口、２６は導入した外気を導出するために前記機枠３の底面に設けられた導出口である。
【００３３】
２７は前記乾燥風路２１と前記導入ダクト１３とを連結する循環ダクトで、最下部の位置に排出口２８が設けられている。
【００３４】
２９は誘導モータであり、ドラムプーリ３０及びドラムベルト３１を介して前記ドラム７に連結されると共に、ファンプーリ３２及びファンベルト３３を介して前記両面ファン１７のプーリ３４に連結されている。３５はアイドラプーリであり、前記ドラムベルト３１に張力を与えることにより、ドラムベルト３１のスリップを防止するものである。
【００３５】
こうして、加熱乾燥時には、前記モータ２９が回転することにより、前記ドラム７が低速で、前記両面ファン１７が高速で、それぞれ回転する。両面ファン１７の回転により発生し、ヒータ１４によって加熱された乾燥風は、前記乾燥風路２１、循環ダクト２７、導入ダクト１３、ドラム７を通って循環し、ドラム７内の衣類と熱交換を行う。同時に、両面ファン１７の回転により外気が冷却風路２２内に導入され、両面ファン１７自身を冷却する。そして、前記ドラム７内で熱交換して、衣類から水分を吸収した乾燥風が両面ファン１７に接触して冷却され、乾燥風中の水分が凝縮する。この凝縮水は、乾燥風路２１内を流れ下り、前記排出口２８から排出される。
【００３６】
ここで、前記両面ファン１７と前記仕切板２０との間は、非接触式であってシール効果の良好なラビリンス結合によりシールしており、この構成を図２に基づいて詳述する。
【００３７】
前記両面ファン１７の外周部には、４つの円筒状壁３６から構成され、前記乾燥風路２１側に開口する回転溝群３７を一体形成している。この回転溝群３７の最も内周側の円筒状壁３６ａには、前記両面ファン１７の羽根の外周を囲む外周壁を兼用している。
【００３８】
一方、前記仕切板２０の内周部には、４つの円筒状壁３８から構成され、前記冷却風路２２側に開口する固定溝群３９を一体形成している。
【００３９】
そして、前記回転溝群３７と前記固定溝群３９の各々の円筒状壁３６、３８を相手の溝群の開口内に非接触状態で遊嵌し、ラビリンス結合部を構成している。このとき、前記回転溝群３７の最も内周側の円筒状壁３６ａである外周壁は、前記固定溝群３９の最も内周側の円筒状壁３８ａよりも内周側に位置し、一方、前記固定溝群３９の最も外周側の円筒状壁３８ｂは、前記回転溝群３７の最も外周側の円筒状壁３６ｂよりも外周側に位置している。
【００４０】
前記固定溝群３９の最も内周側の円筒状壁３８ａの先端であって、前記外周壁３６ａに対向している壁面には、垂直リブ４０を立設している。この垂直リブ４０は溝の周方向に沿って形成され、前記外周壁３６ａとの間隔を狭めている。
【００４１】
また、前記固定溝群３９の溝底面からは、前記冷却風路２２側に向かって円筒状リブ４１を立設している。この円筒状リブ４１は、この溝内に遊嵌される前記回転溝群３７の円筒状壁３６まで届かない程度の高さであり、各溝に２個づつ合計６個設けられている。また、これら円筒状リブ４１は、前記回転溝群３７の円筒状壁３６とは対向しないようにずれて設けられており、何らかの原因で回転溝群３７の円筒状壁３６との距離が狭まってもぶつかりにくいようにしている。
【００４２】
前記固定溝群３９の最も外周側の円筒状壁３８ｂの先端部は、前記両面ファン１７の冷却ファン面１９よりも前記冷却風路２２側に延長されており、最下部の位置では前記後面板５に当接している。
【００４３】
前記固定溝群３９の最下部には、外周側に凹む凹所４２を形成しており、この凹所４２の先端部には、コの字型の切欠き４３を設けて、前記後面板５とのあいだで水抜孔４４を形成している。また、前記凹所４２の底面は前記水抜孔４４の入口が低くなるように、この水抜孔４４の入口に向かって傾斜している。
【００４４】
前記仕切板２０の前記冷却風路２２側には、前記固定溝群３９の最も外周側の円筒状壁３８ｂのさらに外周を取り囲む周壁４５を形成しており、この周壁４５の最下部には、前記水抜孔４４の真下位置から前記仕切板２０に向けて凹溝４６を形成している。そして、前記仕切板２０には、この凹溝４６と前記乾燥風路２１とを連通する連通孔４７を設けている。前記凹溝４６の底面は、前記連通孔４７の入口が低くなるよう、連通孔４７に向かって傾斜している。
【００４５】
なお、前記水抜孔４４、凹溝４６及び連通孔４７が、本発明の連通路に相当し、水抜孔４４の入口が連通路の入口に相当する。
【００４６】
さて、このような構成のもと、加熱乾燥運転時、両面ファン１７により乾燥風路２１内には高温の乾燥風が導入され、冷却風路２２内には常温の外気が導入される。これにより、乾燥風路２１内の温度は冷却風路２２内の温度よりも高温になり、乾燥風路２１内の空気圧が冷却風路２２内の空気圧より高くなる。このため、乾燥風路２１側の乾燥風がラビリンス結合部を通って冷却風路２２側に漏れ出そうとする。また、両面ファン１７の循環ファン面１８で熱交換されて乾燥風中から凝縮した水（凝縮水）も、漏れ出そうとする乾燥風の流れに乗って冷却風路２２側へ漏れ出そうとする。
【００４７】
乾燥風路２１からラビリンス結合内へ侵入してきた乾燥風や凝縮水は、まず、入口部分で固定溝群３９の最も内周側の円筒状壁３８ａに設けられた垂直リブ４０によりせき止められる。
【００４８】
乾燥風路２１と冷却風路２２との圧力差が小さく乾燥風の漏れる勢いが弱い場合は、垂直リブ４０で十分せき止められるが、圧力差が大きく乾燥風の勢いが強いと、乾燥風や凝縮水は垂直リブ４０を越えてさらにラビリンス結合部内へ侵入する。
【００４９】
ラビリンス結合内の途中の固定溝群３９の底部には、複数の円筒状リブ４１が立ち並んでおり、回転溝群３７の円筒状壁３６が回転することによって生じた風や乾燥風路２１側から冷却風路２２側へ向かう乾燥風がこれら円筒状リブ４１にぶつかることにより、そこで乱流が生じる。このため、この底部付近に進んできた乾燥風や凝縮水はその乱流によって行く手を妨げられる。こうして、乾燥風や凝縮水の冷却風路２２内への漏れが抑えられる。
【００５０】
さらに乾燥風路２１と冷却風路２２の圧力バランスがひどく悪い場合には、前述の数々の障害を越えて、僅かに乾燥風が冷却風路２２内に漏れるが、これについてはそれほど大きな影響はない。しかし、この乾燥風と共に凝縮水が漏れてくるのは問題である。
【００５１】
本構成では、冷却風路２２側に漏れ出てきた凝縮水は、固定溝群３９の最も外周側の円筒状壁３８ｂの最下部に集まり、ここに設けた凹所４２内に溜まる。そして、凹所４２の底面の傾斜に沿って後方の水抜孔４４へと流れ、この水抜孔４４から周壁４５の凹溝４６、仕切板２０の連通孔４７を通って乾燥風路２１内へ戻される。これにより、ラビリンス結合部の出口部分で凝縮水の冷却風路２２内への漏れが抑えられる。
【００５２】
このとき、凹所４２の底面の傾斜により、凹所４２内の凝縮水は、水抜孔４４へ向かってスムーズに流れ、凹所４２内には凝縮水が溜りにくくなる。また、凹所４２内に凝縮水が多くたまり、凹所４２内で大きな水滴になっても、回転している両面ファン１７には接触しにくく、このため、凝縮水は両面ファン１７に振り飛ばされることなく、確実に乾燥風路２１内へ戻される。
【００５３】
【発明の効果】
本発明の請求項１に係わる衣類乾燥機の構成によれば、固定溝群の溝の底面から円筒状リブを立設し、固定溝群の溝の底部で乱流を起こすようにしたので、これにより乾燥風の流れが妨げられ、結果、乾燥風や凝縮水の漏れを抑えることができる。
【００５４】
本発明の請求項２に係わる衣類乾燥機の構成によれば、冷却風路側に出てきた凝縮水を凹所に集め、この凹所から連通路を通して乾燥風路に戻すようにしているので、凝縮水は両面ファン振り飛ばされることなく、確実に乾燥風路内へ戻され、これにより冷却風路内への水漏れを抑えることができる。
【図面の簡単な説明】
【図１】本発明の一実施形態の衣類乾燥機の概要を示す側面断面図である。
【図２】同じく両面ファンと仕切板とのラビリンス結合の構成を示す図１のＡ部拡大断面図である。
【図３】同じく図１のＡ部拡大断面斜視図である。
【図４】従来の衣類乾燥機の両面ファンと仕切板とのラビリンス結合の構成を示す要部拡大断面図である。
【図５】同じく要部拡大断面斜視図である。
【符号の説明】
７  ドラム（乾燥室）
９  排気口（乾燥風の出口）
１７  両面ファン
１８  循環ファン面
１９  冷却ファン面
２０  仕切板
２１  乾燥風路
２２  冷却風路
３６  回転溝群の円筒状壁
３７  回転溝群
３８  固定溝群の円筒状壁
３９  固定溝群
４１  円筒状リブ
４２  凹所
４４  水抜孔（連通路）
４６  凹溝（連通路）
４７  連通孔（連通路）
【図１】
0003710888.tif 000002
【図２】
0003710888.tif 000003
【図３】
0003710888.tif 000004
【図４】
0003710888.tif 000005
【図５】
0003710888.tif 000006